(57)【要約】      （修正有）【課題】ロック固定効果の高い伸縮棒のロック固定装置を提供する。【解決手段】伸縮棒のロック固定装置１００は相対して伸縮する外棒２００と内棒２０１の間に設置され、ロック固定装置１００は固定台１０、ロック固定部材２０、弾性圧迫部材３０を有し、固定台１０は外棒２００に嵌めて設置され、固定台１０は外ねじ山１１を有し、ロック固定部材２０は内ねじ山を有し、固定台１０の外ねじ山１１と相互に螺合され、弾性圧迫部材３０は独立した構成部材で、固定台１０とロック固定部材２０の間に設置し、内棒２０１に嵌めて設置され、ロック固定部材２０が固定台１０に相対して螺合される時、弾性圧迫部材３０は内棒２０１を圧迫でき、弾性圧迫部材３０は軸方向に設置される裂口３１、複数のノッチ３２を有する。【選択図】図３
0003228023.tif 000002
【実用新案登録請求の範囲】
【請求項１】
相対して伸縮する外棒と内棒の間に設置され、固定台、ロック固定部材、弾性圧迫部材を有する、伸縮棒のロック固定装置であって、
前記固定台は、前記外棒に嵌めて設置され、前記固定台は、外ねじ山を有し、
前記ロック固定部材は、内ねじ山を有し、前記固定台の外ねじ山と相互に螺合され、
前記弾性圧迫部材は、独立した構成部材で、前記固定台と前記ロック固定部材の間に設置され、前記内棒に嵌めて設置され、前記ロック固定部材が、前記固定台に相対して螺合される時、前記弾性圧迫部材は、前記内棒を圧迫でき、
前記弾性圧迫部材は、軸方向に設置される裂口、及び前記内棒の周縁を取り囲んで設置される複数のノッチを有し、前記裂口と前記ノッチにより、収縮可能な空間を構成することを特徴とする、
伸縮棒のロック固定装置。
【請求項２】
前記弾性圧迫部材は略環状を呈し、外形は略弧状を呈し、前後両端の厚みは異なり、１個の裂口と複数のノッチを有し、前記ノッチの相互につながっている側が厚端であるか又は薄端であることを特徴とする請求項１に記載の伸縮棒のロック固定装置。
【請求項３】
前記固定台は、径方向に縮小する停止部を有し、前記外棒の端縁に嵌めて接触することを特徴とする請求項１に記載の伸縮棒のロック固定装置。
【請求項４】
前記伸縮棒のロック固定装置は、間隙嵌合スリーブをさらに有し、前記内棒と前記外棒の間に嵌めて設置し、前記間隙嵌合スリーブは、開口槽を有することを特徴とする請求項１に記載の伸縮棒のロック固定装置。
【請求項５】
前記内棒の末端に、円形リングを設置したことを特徴とする請求項１に記載の伸縮棒のロック固定装置。
【考案の詳細な説明】
【技術分野】
【０００１】
本考案は伸縮棒のロック固定装置に関し、特に内棒と外棒を伸縮させて調整固定が可能な伸縮棒のロック固定装置に関する。
【背景技術】
【０００２】
特許文献１『伸縮棒構造改良』が開示する従来の伸縮棒固定装置は、図１に示す通り、調整ナット１と締付け結合台２を有し、大管体と小管体の間に取り付ける。
調整ナット１と締付け結合台２の螺合関係により、大管体と小管体は相対して伸縮し、調整固定の効果を実現できる。
【０００３】
締付け結合台２と調整ナット１は、相対的に螺合でき、螺合時には、調整ナット１は、締付け結合台２の掴み爪本体３を圧迫できる。
これにより、掴み爪本体３端縁内側の滑り止めブロック４は、小管体に接触して押さえ、小管体と大管体を所定の位置にロックして固定する。
しかし、滑り止めブロック４と小管体との接触面積が小さいため、ロック固定定位時のロック固定の効果には限界がある。
【先行技術文献】
【特許文献】
【０００４】
【特許文献１】台湾特許第Ｍ４４５６５０号明細書
【考案の概要】
【考案が解決しようとする課題】
【０００５】
前記先行技術には、滑り止めブロックと小管体との接触面積が小さいため、ロック固定定位時のロック固定効果に限界があるという欠点がある。
【課題を解決するための手段】
【０００６】
本考案は独立した構成部材であり、しかも面積がより広い弾性圧迫部材を使用して内棒を押さえるため、内棒と外棒は堅固なロック固定状態を達成できる伸縮棒のロック固定装置に関する。
【０００７】
本考案による伸縮棒のロック固定装置は、相対して伸縮する外棒と内棒の間に設置され、ロック固定装置は、固定台、ロック固定部材及び弾性圧迫部材を有する。
固定台は外棒に嵌めて設置され、固定台は、外ねじ山を有し、ロック固定部材は、内ねじ山を有し、固定台の外ねじ山と相互に螺合される。
弾性圧迫部材は、独立した構成部材で、固定台とロック固定部材との間に設置し、しかも内棒に嵌めて設置され、ロック固定部材が、固定台に相対して螺合される時、弾性圧迫部材は、内棒を圧迫できる。
弾性圧迫部材は軸方向に設置される裂口、複数のノッチを有し、該裂口と該ノッチにより、該弾性圧迫部材は収縮可能な空間を提供される。
【０００８】
弾性圧迫部材は概ね環状を呈し、外形はやや弧状を呈し、前後両端の厚みが異なる。
弾性圧迫部材には、２種の違った構造があり、選択して応用でき、どれも１個の裂口と複数のノッチを有するが、異なる点は、ノッチの相互につながっている側が厚端であるか、薄端であるかの点である。
【０００９】
本考案ロック固定部材が固定台に相対して緊密に固定される時、弾性圧迫部材は、従来技術より広い面積で内棒を圧迫し、より大きな摩擦力を提供する。これによって、内棒が外棒に相対して伸縮できないロック固定状を形成し、最良のロック固定効果を達成する。
【図面の簡単な説明】
【００１０】
【図１】特許文献１『伸縮棒構造改良』が開示する従来の伸縮棒固定装置の構造模式図である。
【図２】本考案による伸縮棒のロック固定装置の外観模式図である。
【図３】本考案による伸縮棒のロック固定装置の構造分解模式図である。
【図４】本考案による伸縮棒ロック固定装置の構造断面模式図である。
【図５】本考案による伸縮棒ロック固定装置の固定台の模式図である。
【図６】本考案による伸縮棒ロック固定装置のロック固定部材の模式図である。
【図７】本考案による伸縮棒ロック固定装置の第一種弾性圧迫部材の模式図である。
【図８】本考案による伸縮棒ロック固定装置の第二種弾性圧迫部材の模式図である。
【考案を実施するための形態】
【００１１】
（一実施形態）
図２〜図８に示す通り、本考案による伸縮棒のロック固定装置１００は、相対して伸縮する外棒２００と内棒２０１の間に設置される。
ロック固定装置１００は、固定台１０、ロック固定部材２０及び弾性圧迫部材３０を有する。
【００１２】
固定台１０は、外棒２００に嵌めて設置され、固定台１０は、外ねじ山１１及び径方向に縮小する停止部１２を有し、外棒２００の端縁に嵌めて接触する。
【００１３】
ロック固定部材２０は、内ねじ山２１を有し、固定台１０の外ねじ山１１と対応して螺合される。
また、本考案の実施形態において、内ねじ山２１から離れたロック固定部材２０の端部内側に、錐部２２を設置する。
ロック固定部材２０の外周縁には、複数の細長い形状の凸ブロックを環状に設置し、手で操作する際の利便性を提供する。
【００１４】
弾性圧迫部材３０は、独立した構成部材で、固定台１０とロック固定部材２０との間に設置し、ロック固定部材２０が、固定台１０に相対して螺合される時、弾性圧迫部材３０は、内棒２０１を圧迫でき、これにより内棒２０１と外棒２００はロック固定を形成し、相対的に伸縮できなくなる。
図７及び図８に示す通り、弾性圧迫部材３０は概ね環状を呈し、外形はやや弧状を呈し、軸方向に設置される裂口３１、内棒２０１周縁を取り囲んで設置される複数のノッチ３２を有する。
裂口３１とノッチ３２の設置により、弾性圧迫部材３０は外力を受け縮小して合わさり、外力が取り除かれると、もとの直径を回復する。
これにより、ロック固定部材２０が、固定台１０に相対して緊密に螺合される時、弾性圧迫部材３０は内棒２０１を圧迫し、内棒２０１と外棒２００はロック固定状態を形成し、相対的に伸縮することはできない。
一方、螺合を緩めると、弾性圧迫部材３０の復位により、内棒２０１と外棒２００は、再び相対的に伸縮の長さを調整する。
【００１５】
さらに、弾性圧迫部材３０は、厚端３０１、及び反対側に設置する薄端３０２を有する。
弾性圧迫部材３０には、２種類の違った構造があり、選択して応用でき、どれも１個の裂口３１と複数のノッチ３２を有する。
異なる点は、ノッチ３２の相互につながっている側が厚端３０１であるか、薄端３０２であるかの点である（図７、図８参照）。
【００１６】
本考案の別種の実施形態中では、間隙嵌合スリーブ４０を有し、内棒２０１と外棒２００の間に嵌めて設置する。
間隙嵌合スリーブ４０は、開口槽４０１を有し、これにより内棒２０１と外棒２００の間の隙間を補填し、全体構造をより堅固にする。
【００１７】
本考案の別の実施形態では、内棒２０１の末端に、円形リング５０を設置し、衣服に吊り下げることができる。
【００１８】
これにより、ロック固定部材２０が固定台１０に相対して緊密に固定される時、弾性圧迫部材３０は、従来技術より広い面積で、内棒２０１を圧迫し、より大きな摩擦力を提供する。
こうして、内棒２０１が外棒２００に相対して伸縮できないロック固定状を形成し、これにより最良のロック固定効果を達成する。
【００１９】
前述した本考案の実施形態は本考案を限定するものではなく、よって、本考案により保護される範囲は後述される実用新案登録請求の範囲を基準とする。
【符号の説明】
【００２０】
＜従来技術＞
１  調整ナット
２  締付け結合台
３  掴み爪本体
４  滑り止めブロック
＜本考案＞
１００  ロック固定装置
２００  外棒
２０１  内棒
１０  固定台
１１  外ねじ山
１２  停止部
２０  ロック固定部材
２１  内ねじ山
２２  錐部
３０  弾性圧迫部材
３１  裂口
３２  ノッチ
３０１  厚端
３０２  薄端
４０  間隙嵌合スリーブ
４１  開口槽
５０  円形リング
【図１】
0003228023.tif 000003
【図２】
0003228023.tif 000004
【図３】
0003228023.tif 000005
【図４】
0003228023.tif 000006
【図５】
0003228023.tif 000007
【図６】
0003228023.tif 000008
【図７】
0003228023.tif 000009
【図８】
0003228023.tif 000010